(57)【要約】      （修正有）【課題】設置場所の床に段差があっても安定に設置可能でかつ設置する者が腰をかがめずに高さ調整可能なスタンド付き電子楽器をシンプルな構造でかつ鍵盤付き電子楽器例えば電子ピアノの重量に耐え安定に演奏できる電子鍵盤楽器を提供する。【解決手段】筐体に着脱可能な４本の脚部３０、３５を持つ電子鍵盤楽器において、前記脚部上面から突出する取り付け雄ネジ部と、貫通するネジ穴を持ち前記雄ネジ上で回転により移動可能なアジャスタ部１０、１５と、前記雄ネジを前記筐体の底部に取り付けるネジ穴を持つ取り付け部と、を備える。【選択図】図１
0003182648.tif 000002
【実用新案登録請求の範囲】
【請求項１】
筐体に着脱可能な４本の脚部を持つ電子鍵盤楽器において、前記脚部上面から突出する取り付け雄ネジ部と、貫通する第一のネジ穴を持ち前記雄ネジ上で回転により移動可能なアジャスタ部と、前記雄ネジを前記筐体の底部に取り付ける第二のネジ穴を持つ取り付け部と、を備えることを特徴とする電子鍵盤楽器。
【請求項２】
請求項１に記載の電子鍵盤楽器において、前記アジャスタ部は前記４本の脚部の内、電子鍵盤楽器の演奏者側に配置される少なくとも１本の脚部に用いられることを特徴とする電子鍵盤楽器。
【請求項３】
請求項１または請求項２に記載の電子鍵盤楽器において、前記アジャスタ部は、脚部の上部を覆った状態で少なくとも一回転することができる内径をもつ凹部を持ち、前記凹部の底に前記貫通する前記第一のネジ穴を具備することを特徴とする電子鍵盤楽器。
【考案の詳細な説明】
【技術分野】
【０００１】
本考案は電子鍵盤楽器例えば電子ピアノのスタンド及び筐体の機構に係り、特に高さ調整機構に関する。
【背景技術】
【０００２】
従来から高さ調整可能な鍵盤楽器用スタンドは各種提案されてきた。例えば特許文献１及び特許文献２には楽器設置台の高さを調節することができ、演奏者の好みにあった高さで演奏を行なうことができる楽器用スタンドが示されている。また、特許文献３には、高圧ガスが封入されたシリンダを用いることで、楽器設置台の高さ調整作業が容易で、使用者の肉体上の負担を軽減することができる楽器用スタンドが開示されている。しかし、これらのスタンドは床面に段差ある場合に不安定となることを避けることはできないため設置場所の床面の平面性を予め確保するか、スタンド部と床の間に板を挟む等でがたつきを避ける必要があった。また、テーブル等の足の下部ににがたつきを止めるためのアジャスタと呼ばれる高さ調整機構をつけることも考えられる。しかし、例えば、特許文献４に示されているような粘弾性体を用いたアジャスターでは、電子ピアノの様にパワーアンプ用の電源トランスや低音用のスピーカ、鍵盤のタッチを低音部と高音部で変える為の錘などで左右で加重が異なる電子ピアノ等のスタンドではその効果が期待できず、弾性体を用いることで鍵盤の演奏感も損なわれてしまう。一方で、ネジにより高さを調節するテーブル等の脚部に用いる通常のアジャスタでは、設置する際にいちいち腰を屈めて調整作業をする必要がある。
【先行技術文献】
【特許文献】
【０００３】
【特許文献１】特許公開２００３−１２２３４８
【特許文献２】特許公開２００３−５０５７８
【特許文献３】特許公開平１１−２４２４７９
【特許文献４】登録実用新案第３１１６２８９号
【考案の概要】
【考案が解決しようとする課題】
【０００４】
設置場所の床に段差があっても安定に設置可能で、設置する者が腰をかがめずに高さ調整可能な脚付き電子楽器を実現する。
【課題を解決するための手段】
【０００５】
筐体に着脱可能な４本の脚部を持つ電子鍵盤楽器において、前記脚部上面から突出する取り付け雄ネジ部と、貫通するネジ穴を持ち前記雄ネジ上で回転により移動可能なアジャスタ部と、前記雄ネジを前記筐体の底部に取り付けるネジ穴を持つ取り付け部と、
を備えることを特徴とする電子鍵盤楽器。
【０００６】
前記アジャスタ部は前記４本の脚部の内、電子鍵盤楽器の演奏者側に配置される少なくとも１本の脚部に用いられることを特徴とする電子鍵盤楽器。
【０００７】
前記アジャスタ部は脚部の上部を覆った状態で回転することができる凹部を持ち前記凹部の底にネジ穴を具備することを特徴とする電子鍵盤楽器。
【考案の効果】
【０００８】
調整の際に腰を屈めずに調整可能な高さ調整機構を実現でき、設置場所の床に段差があっても安定に設置することが容易になる。さらに、脚部の取り付け部材の寸法にバラツキがあっても調整により吸収することが可能となる。また、アジャスタ部を脚部の上部を覆った状態で回転ことができる内径の凹部を持つ構造を用いることでより容易に高さ調整をすることが可能になる。
【図面の簡単な説明】
【０００９】
【図１】脚部及びアジャスターを取り付けた電子鍵盤楽器全体を示す図
【図２】脚部及びアジャスタの断面図
【図３】（ａ）アジャスタ部を上げた状態を示す断面図  （ｂ）アジャスタ部を下げた状態を示す断面図
【図４】脚部およびアジャスタ部の斜視図
【実施例】
【００１０】
図１は本考案の鍵盤付電子楽器の一実施例である。アジャスタ部１０は脚部３０の上部にある為、脚毎の高さ調整を設置者が腰を屈めずに行なうことができる。筐体１００の底部５０に固着された雌ネジ部６０のネジ穴に、脚部３０の上端に突出して固定された雄ネジ部２０（図２参照）をねじ込むことにより脚部３０を取り付ける。脚部３０の筐体１００への着脱はネジを用いた取り付けであるので容易にできる。アジャスタ１０，１５を回転させることで設置床面の状態に応じた高さ調整を行なう。
【００１１】
図２は脚部３０に雄ネジ部２０が固着され更にアジャスター部１０のネジ穴に雄ネジ部２０にねじ込まれた状態を示す断面図である。雄ネジ部２０の周井及び雄ネジ部２０と接しているアジャスター部１０のネジ穴にはネジ溝が切られている。実際の脚部３０は径に対して長いため中間部を省略して表示した。また、脚部３０の最下部には、滑り止め及び木製の床を傷つけないようにするための先端キャップ部が取り付けられている。
【００１２】
図３（ａ）はアジャスター１０が筐体底部５０に接触して固定された状態を示す断面図であり、図３（ｂ）はアジャスター１０を回転させて下方に移動することにより筐体底面５０とアジャスター１０の上面の間に隙間を生じさせた状態を示す断面図である。
【００１３】
図３（ｂ）の状態から更に脚部３０を設置者が握り回転させることにより、脚部３０の上部に固着されている雄ネジ部２０を回転させ筐体底部５０に固着された雌ネジ部６０に雄ネジ部２０をねじ込むことにより、前記隙間を減少させることができる。アジャスター１０の上面と筐体１００の底部５０が接触し隙間が無くなるまで雄ネジ２０をねじ込むことができ、隙間の無い状態で脚部３０は筐体底部５０に対して安定に固定される。なお、本例では筐体底部５０は板金を加工したものを樹脂製の筐体の底部として取り付けたものである。
【００１４】
図４はアジャスター１０が雄ネジ部２０に取り付けられている状態を示す斜視図である。脚部３０の上端にとりつけられた雄ネジ２０をねじ込まれたアジャスター１０は、その位置調整の為に回転方向に力を加えやすい形状にすべきである。ここで、アジャスターをネジ穴を持つ板とした場合、その板の厚みを増すことでもある程度は操作しやするなるが、厚みを増すと可動範囲が狭くなる上、材料も多く必要となり重くなる。そこで図３、図４の例では、アジャスターの周囲の面積を大きくすることで操作者が力を加えやすくするために、脚部の上部を覆った状態で少なくとも一回転することができる内径をもつ凹部を持つ構造とし、更にアジャスター１０の周囲に指をかけ易い窪みを設けている。
【００１５】
本実施例では以上の様に、筐体底部５０の雌ネジ６０に脚部３０を取り付け更にアジャスタ１０の位置を調整し最後に脚部３０を回転し締め付けることにより脚部３０の長さを増減調整することと同様の効果を得る。本実施例の構成によれば、脚部３０の上部に高さ調整操作を行なうアジャスター部１０を少ない部品で安定に脚部上部に配置できる。なお、図１の例では、演奏者側（鍵盤側）の２本の脚３０、３５の上部にアジャスター１０，１５があるが、例えば右側の脚部３０に取り付けられたアジャスター１０を省略して、左側のアジャスター１５のみを調節することで足りる場合もある。
【産業上の利用可能性】
【００１６】
電子鍵盤楽器特に電子ピアノの機構として利用することにより設置床面の段差や部材のバラツキによるガタつきを簡易な構造と容易な操作で防止するすることができる。
【符号の説明】
【００１７】
１０、１５  アジャスター部
２０  雄ネジ部
３０、３５  脚部
４０  先端キャップ部
５０  筐体底部
６０  雌ネジ部
【図１】
0003182648.tif 000003
【図２】
0003182648.tif 000004
【図３】
0003182648.tif 000005
【図４】
0003182648.tif 000006